(57)【要約】【課題】注射前の薬液の状態を良く観察することができる共に、薬液が注射針から突出するのを確実に防止できて、安心して人体に薬液を注射できるようにする。【解決手段】容器兼用注射器１は、バイパス路２ａが形成されたシリンダ２と、バイパス路２ａの後側の後室２ｃに嵌入され、後室２ｃに充填された薬液ｍを液密に封止する前、後部ストッパー５ａ，５ｂと、ルアー先３ａを有しシリンダ２の前端に嵌着された筒先３と、シリンダ２の後端に嵌着されたフィンガーグリップ４と、後部ストッパー５ｂに連結されたプランジャーロッド６とを備え、バイパス路２ａの長さＬが前部ストッパー５ａより長く、前室２ｂの長さＬ２が後室２ｃでの前、後部ストッパー５ａ，５ｂの相互間距離Ｌ３より長く設定され、ルアー先３ａの通孔３ｆの内部に、前室２ｂからルアー先３ａの先端側への薬液ｍの流れを緩和して通過させる可動弁９が設けられた構成とされている。【選択図】図１
2008104776.tif 000002
【特許請求の範囲】
【請求項１】
透明な材料からなり、軸方向の中間部にシリンダ壁を外側に膨出してなるバイパス路が形成されたシリンダと、前記バイパス路の後側におけるシリンダの後室内にその軸方向に間隔をあけて嵌入され、後室内に充填された薬液を相互間で液密に封止する前部ストッパーおよび後部ストッパーと、先端に注射針を取り付けるルアー先が設けられ、基端部を前記シリンダの前端外周部に嵌着された筒先と、前記シリンダの後端外周部に設けられたフィンガーグリップと、前記シリンダの後端部からシリンダ内に挿入されて前記後部ストッパーに連結されたプランジャーロッドとを備えた容器兼用注射器であって、
前記シリンダのバイパス路の長さが前記前部ストッパーの軸長より長く設定されると共に、前記バイパス路の前側におけるシリンダの前室の長さが前記シリンダの後室内で薬液で隔てられている前記前部ストッパーと後部ストッパーの相互間距離より長く設定され、また、前記筒先のルアー先に形成されてシリンダに連通する通孔の内部には、シリンダからルアー先の先端側への薬液の流れを緩和して通過させる可動弁が設けられていることを特徴とする容器兼用注射器。
【請求項２】
前記可動弁は、前記ルアー先の通孔の内径より小径の円形板が、その外周部を前記通孔の内壁面より離間されて通孔の軸方向に垂直に向けられ、かつその外周部を一点支持で通孔の内壁面に連結され、前記一点支持部を支点にして通孔の軸方向の前後に揺動可能に設けられて構成されていることを特徴とする請求項１に記載の容器兼用注射器。
【発明の詳細な説明】
【技術分野】
【０００１】
本発明は、シリンダの先端に嵌着された筒先のルアーの内部に可動弁を設けてなる容器兼用注射器に関するものである。
【背景技術】
【０００２】
従来、シリンダと、該シリンダ内の前後端側に嵌入され、シリンダ内に充填された薬液を液密に封止する前部ストッパーおよび後部ストッパーと、前記シリンダの先端に嵌着され、前部ストッパーが入り込むバイパスチャンバーおよびその先端の注射針を取り付けるためのルアー先が設けられた筒先と、前記シリンダの後端に嵌着されたフィンガーグリップと、前記シリンダの後端部からシリンダ内に挿入されて前記後部ストッパーに連結されたプランジャーロッドとを備え、使用時にプランジャーロッドによって後部ストッパーを押して薬液と共に前部ストッパーを前方へ押し進めると、該前部ストッパーがシリンダから押し出されて前記筒先のバイパスチャンバー内に入り込むことによって、前後部ストッパー間に密封されていた薬液が、先端側の密封を解除されてシリンダ内からバイパスチャンバー内に流出し、前部ストッパーとバイパスチャンバーとの隙間を流れ、該バイパスチャンバーの内壁に設けられたバイパス溝に沿ってルアー先の内面に誘導されて注射針へと導入されるようにした容器兼用注射器が知られている（例えば、特許文献１、特許文献２参照）。
【特許文献１】特公昭６２−５８７４５号公報
【特許文献２】特開平８−１４１０８１号公報
【発明の開示】
【発明が解決しようとする課題】
【０００３】
しかしながら、前記容器兼用注射器においては、密封を解除された薬液はシリンダ内から前記バイパスチャンバー内に流入し、先にバイパスチャンバー内に入った前部ストッパーの外周面と前記バイパス溝との間の狭い隙間を通って注射針に誘導されるため、人体に注射される薬液の注射直前の状態を気泡も含めて良く見ることができないという問題があった。  
【０００４】
本発明は、上記事情に鑑みてなされたものであって、注射前の薬液の状態を良く観察することができる共に、薬液が注射針から突出するのを確実に防止することができて、安心して人体に薬液を注射することができる容器兼用注射器を提供することを目的とする。
【課題を解決するための手段】
【０００５】
本発明は、前記課題を解決するために、以下の点を特徴としている。
すなわち、請求項１に係る容器兼用注射器は、透明な材料からなり、軸方向の中間部にシリンダ壁を外側に膨出してなるバイパス路が形成されたシリンダと、前記バイパス路の後側におけるシリンダの後室内にその軸方向に間隔をあけて嵌入され、後室内に充填された薬液を相互間で液密に封止する前部ストッパーおよび後部ストッパーと、先端に注射針を取り付けるルアー先が設けられ、基端部を前記シリンダの前端外周部に嵌着された筒先と、前記シリンダの後端外周部に設けられたフィンガーグリップと、前記シリンダの後端部からシリンダ内に挿入されて前記後部ストッパーに連結されたプランジャーロッドとを備えた容器兼用注射器であって、前記シリンダのバイパス路の長さが前記前部ストッパーの軸長より長く設定されると共に、前記バイパス路の前側におけるシリンダの前室の長さが前記シリンダの後室内で薬液で隔てられている前記前部ストッパーと後部ストッパーの相互間距離より長く設定され、また、前記筒先のルアー先に形成されてシリンダに連通する通孔の内部には、シリンダからルアー先の先端側への薬液の流れを緩和して通過させる可動弁が設けられていることを特徴としている。
【０００６】
また、請求項２に係る容器兼用注射器は、請求項１に記載の容器兼用注射器において、前記可動弁が、前記ルアー先の通孔の内径より小径の円形板を、その外周部を前記通孔の内壁面より離間されて通孔の軸方向に垂直に向けられ、かつその外周部を一点支持で通孔の内壁面に連結され、前記一点支持部を支点にして通孔の軸方向の前後に揺動可能に設けられて構成されていることを特徴としている。
【発明の効果】
【０００７】
本発明によれば、以下の優れた効果を奏する。
請求項１に係る容器兼用注射器によれば、シリンダのバイパス路の位置に前部ストッパーが押し込まれることにより前側の密封を解除された薬液が、バイパス路より後方のシリンダの後室から前記バイパス路を通ってバイパス路の前側のシリンダの前室内に全量入り込むので、該シリンダの前室内において、従来の容器兼用注射器の筒先では見えにくかった注射前の薬液の状態を、気泡も含めて透明なシリンダの外側から良く観察することができ、一般の注射器と同じように前室内に残る気泡を注射針を通して完全に外部に放出してから、安心して薬液を人体に注射することができる。また、前記のようにシリンダのバイパス路の位置に前部ストッパーが押し込まれることにより、前側の密封を解除された薬液がバイパス路を通って前室内に入り込む際、バイパス路の狭い通路を通過した薬液が前室内から一気にルアー先の通孔内に流れ込むが、前記通孔内で薬液の流れを可動弁が効果的に緩和するので、注射針の先端から薬液が突出する水鉄砲現象を確実に防止することができる。
【０００８】
また、請求項２に係る容器兼用注射器によれば、可動弁がルアー先の通孔に前後に揺動可能となっているので、薬液の注射は勿論血液のフラッシュバックをも何ら支障なく見ることができると共に、構造が簡単であり、容易に製造することができる。
【発明を実施するための最良の形態】
【０００９】
以下、本発明の一実施の形態に係る容器兼用注射器について、添付図面を参照して説明する。
図１において、１は本発明の一実施の形態に係る容器兼用注射器を示す。この容器兼用注射器１は、シリンダ２と、該シリンダ２の前端（図１で左端）の外周部に嵌着された筒先３と、前記シリンダ２の後端（図１右端）の外周部に嵌着された合成樹脂製のフィンガーグリップ４と、前記シリンダ２内にその軸方向に間隔をあけて嵌入されて往復動可能に設けられ、シリンダ２内に充填された薬液ｍを相互間で封止する前部ストッパー５ａおよび後部ストッパー５ｂと、前記シリンダ２内にその後端から挿入されて先端部を前記後部ストッパー５ｂに連結され、該後部ストッパー５ｂをシリンダ２の軸方向に往復動させるプランジャーロッド６と、前記筒先３の先端に設けたルアー先３ａに装着された注射針７と、該注射針７を覆うプロテクター８とを備えている。
【００１０】
前記シリンダ２は、透明なガラス製円筒からなり、その軸方向の中央よりやや前方に寄った中間部におけるシリンダ壁の一部を外側に膨出して形成された１つのバイパス路２ａが設けられ、該バイパス路２ａの前側（図１で左側）が前室２ｂとされ、バイパス路２ａより後側（図１で右側）が後室２ｃとされ、共に内径は同一となっている。前記バイパス路２ａのシリンダ２の軸方向における通路２ａ１の長さＬは、前記前部ストッパー５ａの軸長（厚さ）Ｌ１より長く、例えば、前部ストッパー５ａの軸長の１．３倍〜１．７倍に設定されている。
【００１１】
そして、前記前、後部ストッパー５ａ，５ｂは、それぞれ前記シリンダ２の内径より僅かに大きな外径とされ、医療用医薬品用のゴム等の材質からなる弾力性を有する材料で形成され、前部ストッパー５ａが前記後室２ｃにおけるバイパス路２ａの後端より少し後寄りに位置し、また、後部ストッパー５ｂが前部ストッパー５ａから後方へ離間してそれらの間でシリンダ２の後室２ｃ内に所定容量の薬液ｍを丁度充填し得る位置に位置してそれぞれ前記後室２ｃに嵌入され、該後室２ｃ内に充填された薬液ｍを密封するようになっている。
なお、前記シリンダ２の前室２ｂの容積は、前記後室２ｃにおける前、後部ストッパー５ａ，５ｂ間に充填された薬液ｍの容積をやや超える容積とされ、それに対応して、前室２ｂの軸長（長さ）Ｌ２が、前記後室２ｃ内で薬液ｍで隔てられている前、後部ストッパー５ａ，５ｂの相互間距離Ｌ３より長く設定されている。
【００１２】
前記筒先３は、透明な合成樹脂材料で成型して構成され、前側を閉鎖された円筒状の基端部３ｂと、該基端部３ｂの前端に結合された前記ルアー先３ａと、該ルアー先３ａの外側に間隔をあけて前記基端部３ｂの前端に結合されたルアーロック部３ｃとを備え、前記基端部３ｂの内側に形成された嵌着穴３ｄに、その底部３ｅに前端が当接するまで前記シリンダ２を嵌入させることにより、前記筒先３が前記シリンダ２の前端部に液密に嵌着されている。前記ルアー先３ａには、その軸線上に前後に貫通して内端側を前記基端部３ｂの底部３ｅに開口して前記シリンダ２の前室２ｂに連絡する通孔３ｆが設けられている。
なお、前記ルアーロック部３ｃには、前記注射針７の針もとを係止するロックネジ３ｇと前記プロテクター８を係止する環状溝３ｈとが設けられている。前記筒先３はルアーロック部３ｅを設けない筒先として形成したものであってもよい。
【００１３】
そして、前記ルアー先３ａの通孔３ｆには、前記基端部３ｂの底部３ｅ側に寄った位置に、前記シリンダ２の前室２ｂからルアー先３ａの先端側への薬液ｍの流れを緩和して通過させる可動弁９が設けられている。
前記可動弁９は、図２、図３に示すように、前記通孔３ｆの内径より小径とされた薄い円形板９ａが、通孔３ｆの軸線に対して垂直な状態とし、通孔３ｆの内壁面との間に環状間隙ｅをあけて配置され、外周部の一箇所（図３で下端部）を支持片９ｂによって前記通孔３ｆの内壁面に一点支持で連結され、該一点支持部を支点にして通孔３ｆの軸方向の前後（図２で左右）に揺動可能に設けられて構成されている。
また、前記可動弁９は、前記筒先３と同じ材質であり、通常、筒先３の成型時に一体に成型されるが、別体に形成して接着剤等によって接合してもよい。
【００１４】
なお、前記シリンダ２の前端の外周部にはリング状の突起２ｄが設けられて、該突起２ｄが前記筒先３の嵌着穴３ｄの前端部に形成されたリング状溝３ｉに嵌合されることにより、筒先３がシリンダ２の前端部に気密、液密的に嵌着され、同様に、前記シリンダ２の後端の外周部にリング状の突起２ｅが設けられて、該突起２ｅが前記フィンガーグリップ４の円筒穴部４ａに形成されたリング状溝４ｂに嵌合してしっかりとシリンダ２の後端の外周部に嵌着されている。前記フィンガーグリップ４は、シリンダ２に嵌着して設ける代わりに、シリンダ２と一体に形成して設けてもよい。
【００１５】
次に、本発明の一実施の形態に係る容器兼用注射器１の作用について図４を参照しながら説明する。
前記構成の容器兼用注射器１においては、使用時には、先ず、容器兼用注射器１を図１に示す状態から、図４（ａ）に示すように、プランジャーロッド６をゆっくりと押して後部ストッパー５ｂを介して、後室２ｃ内の薬液ｍをシリンダ２の前側へ少し送って前部ストッパー５ａを前記シリンダ２のバイパス路２ａの位置に押し込む。このとき、前部ストッパー５ａによる薬液ｍの前側の封止が解かれるので、該薬液ｍは前記バイパス路２ａの内側の通路２ａ１を通って前部ストッパー５ａの前側の前室２ｂに流れ込むこととなる。バイパス路２ａの位置に移動した前部ストッパー５ａは、シリンダ２の内壁との間の摩擦抵抗によって、薬液ｍの流動圧力では前進することなく前記バイパス路２ａの位置に止められている。
【００１６】
さらに、図４（ｂ）に示すように、前記プランジャーロッド６を押すことによって後部ストッパー５ｂの前側にある薬液ｍが順次前記バイパス路２ａの通路２ａ１を通って前部ストッパー５ａの前方へ流れて、バイパス路２ａの前側の前室２ｂ内へ移動する。ここで、前記後部ストッパー５ｂが前部ストッパー５ａの後端面に当接して、薬液ｍが前記前室２ｂ内に全て移動する。該前室２ｂに移動した薬液を、使用者はシリンダ２の前室２ｂの外周側から十分に観察し、気泡も含めて薬液ｍにおける異常の有無を確認する。
なお、前記のようにシリンダ２のバイパス路２ａの位置に前部ストッパー５ａが押し込まれることにより、前側の密封を解除された薬液ｍがバイパス路２ａを通って前室２ｂ内に入り込む際、バイパス路２ａの狭い通路２ａ１を通過した薬液ｍが前室２ｂ内から一気にルアー先３ａの通孔３ｆ内に流れ込むが、前記通孔３ｆ内で薬液ｍの流れを可動弁９が効果的に緩和するので、注射針７の先端から薬液ｍが突出する水鉄砲現象は確実に防止される。
【００１７】
この後、図４（ｃ）に示すように、注射針７に被せてあるプロテクター８を前記筒先３から取り外し、薬液ｍの上部に残留する気泡があれば、前記プランジャーロッド６を適宜操作することにより、前記気泡をルアー先３ａの通孔３ｆから注射針７を通して排出する。シリンダ２内から気泡を完全に除去してから、図４（ｄ）に示すように、プランジャーロッド６を更に押して前部ストッパー５ａを後部ストッパー５ｂを介して前室２ｂの前端（筒先３の基端部３ｂの底部３ｅ）まで前進させることにより注射を行う。  
【００１８】
前記のように、容器兼用注射器１においては、前記シリンダ２の後室２ｃ内の薬液ｍが、シリンダ２のバイパス路２ａの通路２ａ１を通してシリンダ２の前室２ｂに移動する時、バイパス路２ａの狭い通路２ａ１を通って前室２ｂに勢いよく飛び込み、注射針７の先端から突出する水鉄砲現象を防止しながら、前記前室２ｂ内において、注射の直前に、薬液ｍの気泡も含めて異常の有無を、透明なシリンダ２の外周側からしっかりと観察することができ、薬液ｍに異常のないことを確認してから安心して注射を行うことができる。
【００１９】
以上説明したように、前記実施の形態に係る容器兼用注射器１は、透明な材料からなり、軸方向の中間部にシリンダ壁を外側に膨出してなるバイパス路２ａが形成されたシリンダ２と、前記バイパス路２ａの後側におけるシリンダ２の後室２ｃ内にその軸方向に間隔をあけて嵌入され、前記後室２ｃ内に充填された薬液ｍを相互間で液密に封止する前部ストッパー５ａおよび後部ストッパー５ｂと、先端に注射針７を取り付けるルアー先３ａが設けられ、基端部３ｂを前記シリンダ２の前端外周部に嵌着穴３ｄを介して嵌着された筒先３と、前記シリンダ２の後端外周部に嵌着して設けられたフィンガーグリップ４と、前記シリンダ２の後端部からシリンダ２内に挿入されて前記後部ストッパー５ｂに連結されたプランジャーロッド６とを備え、前記シリンダ２のバイパス路２ａの長さＬが前記前部ストッパー５ａの軸長Ｌ１より長く設定されると共に、前記バイパス路２ａの前側におけるシリンダ２の前室２ｂの長さＬ２が、前記シリンダ２の後室２ｃ内で薬液で隔てられている前記前部ストッパー５ａと後部ストッパー５ｂの相互間距離Ｌ３より長く設定され、また、前記筒先３のルアー先３ａに形成されてシリンダ２の前室２ｂ内に連通する通孔３ｆの内部には、シリンダ２からルアー先３ａの先端側への薬液ｍの流れを緩和して通過させる可動弁９が設けられた構成とされている。
【００２０】
したがって、前記実施の形態に係る容器兼用注射器１によれば、シリンダ２のバイパス路２ａの位置に前部ストッパー５ａが押し込まれることにより、前側の密封を解除された薬液ｍが、バイパス路２ａより後方のシリンダ２の後室２ｃから前記バイパス路２ａを通ってバイパス路２ａの前側のシリンダ２の前室２ｂ内に全量入り込むので、該シリンダ２の前室２ｂ内において、従来の容器兼用注射器の筒先では見えにくかった注射前の薬液の状態を、気泡も含めて透明なシリンダ２の前室２ｂの外側から良く観察することができ、安心して薬液を人体に注射することができる。
【００２１】
しかも、シリンダ２の前端部に嵌着された筒先３には、従来の容器兼用注射器の筒先のように、バイパス溝を有するバイパスチャンバーが設けられておらず、シリンダ２の中間部にバイパス路２ａが設けてあり、薬液ｍが後室２ｃから通路２ａ１を通って前室２ｂへ移動するようになっている。そのため、プランジャーロッド６を押すことによって後部ストッパー５ｂの前側にある薬液ｍが前記バイパス路２ａの通路２ａ１を通って勢い良くルアー先３ａの通孔３ｆ内に流れ込むが、前記通孔３ｆ内の薬液ｍの流れを前記可動弁９が効果的に緩和するので、注射針７の先端から薬液ｍが突出する水鉄砲現象を確実に防止することができる。
【００２２】
また、前記実施の形態に係る容器兼用注射器１によれば、前記可動弁９が、前記ルアー先３ａの通孔３ｆの内径より小径の円形板９ａを、その外周部を前記通孔３ｆの内壁面より離間されて通孔３ｆの軸方向に垂直に向けられ、かつその外周部を前記支持片９ｂを介して一点支持で通孔３ｆの内壁面に連結され、前記一点支持部を支点にして通孔３ｆの軸方向の前後に揺動可能に設けられて構成されているので、前記可動弁９がルアー先３ａの通孔３ｆに前後に揺動可能となっていることにより、薬液ｍの注射は勿論、血液をルアー先３ａの通孔３ｆ内を逆流させるフラッシュバックをも何ら支障なく見ることができると共に、構造が簡単であり、筒先３の成型時にルアー先３ａと一体にして容易に製造することができる。
【００２３】
なお、前記可動弁９を１つの薄い円形板９ａで形成し、該円形板９ａの外周部の一箇所を支持片９ｂを介してルアー先３ａの通孔３ｆの内壁に連結して、通孔３ｆの軸方向の前後に揺動可能に構成したが、これに限らず、前記円形板９ａをその中心を通る半径方向の分割線で円周方向に等分割して、複数の扇形板を形成し、各扇形板の円弧状部を前記支持片９ｂでルアー先３ａに通孔３ｆの内壁に個別に連結し、各扇形板が独立して前後に揺動するように構成してもよい。さらに、前記通孔３ｆの内径より小径の球体を、通孔３ｆの軸方向の一定範囲で前後に移動し得るように前記通孔３ｆ内に保持された構成としてもよい。
【００２４】
なお、前記実施の形態に係る容器兼用注射器１においては、本発明を一室式容器兼用注射器に適用した例を示したが、本発明はこれに限らず、二室式容器兼用注射器にも適用することができる。この場合は、前記バイパス路２ａより前側のシリンダ２内の容積がシリンダ内の二室の薬剤の容積の合計容積以上に相当するものとする必要があるので、容器兼用注射器の全長が多少長くなる。
【図面の簡単な説明】
【００２５】
【図１】本発明の一実施の形態に係る容器兼用注射器を示す縦断面図である。
【図２】同じく容器兼用注射器の筒先の縦断面図である。
【図３】図２のイ矢視図である。
【図４】本発明の一実施の形態に係る容器兼用注射器の作用を示す縦断面図である。
【符号の説明】
【００２６】
１  容器兼用注射器
２  シリンダ
２ａ  バイパス路
２ｂ  前室
２ｃ  後室
３  筒先
３ａ  ルアー先
３ｂ  基端部
３ｄ  嵌着穴
３ｆ  通孔
４  フィンガーグリップ
５ａ，５ｂ  前、後部ストッパー
６  プランジャーロッド
７  注射針
８  プロテクター
９  可動弁
９ａ  円形板
９ｂ  支持片
Ｌ  バイパス路の長さ
Ｌ１  前部ストッパーの長さ（軸長）
Ｌ２  前室の長さ
Ｌ３  前、後部ストッパーの相互間距離
ｍ  薬液
【図１】
2008104776.tif 000003
【図２】
2008104776.tif 000004
【図３】
2008104776.tif 000005
【図４】
2008104776.tif 000006